(57)【要約】【課題】  味噌汁、スープ等の即席固形食品をそのままの形状で個別に取り出すことができる即席固形食品取出装置及び当該装置を取り付けたポットを提供する。【解決手段】  蓋体を備えるケースは第１収納空間と、第１軸及び第２軸が立設する第２収納空間とを備え、即席固形食品を押動する押出板を一端部として、他端部を回動自在に設置する可動板は連結部材を介して第１軸に連結され、第１軸に連結されるレバーを操作することで、第１軸と当接する第２軸を可動させるとともに、第２軸に設置される軸操作機構を作動させ、可動板を回動させ、押出板を蓋体側へ可動させて即席固形食品を排出し、レバーを戻すことで第１軸及び可動板は戻り、第２軸は軸操作機構が作用し、第１軸より遅動して戻るとともに、第１歯板と第２歯板との間隙に配置される押上げ機構が第１収納空間に位置する載置台を可動することを特徴とする即席固形食品取出装置。【選択図】  図１
2010246743.tif 000002
【特許請求の範囲】
【請求項１】
蓋体を備えるケースは即席固形食品を収納する第１収納空間と、第１軸及び第２軸が立設する第２収納空間とを備え、
即席固形食品を押動する押出板を一端部として第１収納空間に配置させ、他端部を第２収納空間に配置し回動自在に設置する可動板は、連結部材を介して第１軸に連結され、
第１軸に連結されるレバーを操作することで、第１軸及び第１軸と当接する第２軸を可動させるとともに、
第２軸に設置される軸操作機構を作動させ、連結部材に連結される可動板を回動させ、押出板を蓋体側へ可動させて即席固形食品を押動して排出し、
レバーを戻すことで第１軸及び可動板を所定位置に戻し、
軸操作機構が作用することで、第２軸は第１軸より遅動して所定位置に戻るとともに、
第２軸に設けられる第１歯板と第２収納空間に設けられる第２歯板との間隙に配置される押上げ機構が第１収納空間に位置する載置台に即席固形食品を積載した状態で可動することを特徴とする即席固形食品取出装置。
【請求項２】
軸操作機構は、ケース内に固着される収納部と、
収納部を挿通し外側へ突出した先端部を備え収納部内に配置される係合体と、
第２軸に連結される取付板と、
一端がケース内に固着され他端が取付板に固着される伸縮体と、
収納部及び係合体を挿通して第２軸と同軸方向に取付板に固着される係合ピンとを備え、
レバー操作前には可動板と係合体の先端部が当接して、先端部と収納部との間隙に設置されるバネ部材の付勢力に抗した状態で係合体を押圧し、
レバー操作時には可動体と係合体の当接が解除され、付勢力にて係合体が収納部内を可動し、伸縮体を伸長しながら第２軸とともに可動する係合ピンに設けられる係合部と係合体に設けられる係合部が係合し、
レバー操作後には第１軸及び可動板が所定位置に戻り、可動板と係合体の先端部が当接することで、バネ部材の付勢力に抗して係合体を押圧して係合ピン及び係合体における係合を解除し、伸縮体により第１軸より遅動して第２軸を可動させる請求項１に記載の即席固形食品取出装置。
【請求項３】
押上げ機構は、ベース板の一端方向に突出されるピンと、他端方向に設置される載置台とを備えるボディ部と、
載置台側に略ハ字状に配置され、一端部は回動自在に設置し、他端部はベース板を挿通して突出するピンを備える２つの押上げ部と、
一端部がベース板から突出されるピンに回動自在に設置され、他端部に設けられる開口部に押上げ部のピンを挿通させ略Ｖ字状に配置される２枚の支持板と、
開口部に挿通されたピンを付勢力にて外側方向へ支持するバネ部材とを備え、
第１歯板及び第２歯板は波形状となるよう摺動部及び段部を交互に備えてなり、
押上げ機構は押上げ部の端部が第１歯板及び第２歯板における段部に当接することで支持され、
レバー操作時には第１歯板における押上げ部の端部を摺動部と当接させるとともに、押上げ部をバネ部材の付勢力に抗して回動させ、隣接する弾部と押上げ部の端部を当接させ、
レバー操作後には第２歯板における押上げ部の端部を摺動部と当接させるとともに、押上げ部をバネ部材の付勢力に抗して回動させ、隣接する弾部と押上げ部の端部を当接させることで押上げ機構を可動させる請求項１又は請求項２に記載の即席固形食品取出装置。
【請求項４】
押上げ機構は、ベース板の一端方向に突出されるピンと、他端方向に設置される載置台とを備えるボディ部と、
載置台側に略ハ字状に配置され、一端部は回動自在に設置し、他端部はベース板を挿通して突出するピンを備える２つの押上げ部と、
長孔及び切欠部を有してベース板に形成される筒部に設置され、長孔より突出するピン及び切欠部より突出するピンを備える当接部材と、
筒部上端部より当接部材を突出させるようにして、切欠部より突出するピンに設置される押え部材と、
一端部が当接部材から突出されるピンに回動自在に設置され、他端部に設けられる開口部に押上げ部のピンを挿通させ略Ｖ字状に配置される２枚の支持板と、
開口部に挿通されたピンを付勢力にて外側方向へ支持するバネ部材とを備え、
第１歯板及び第２歯板は波形状となるよう摺動部及び段部を交互に備えてなり、
押上げ機構は押上げ部の端部が第１歯板及び第２歯板における段部に当接することで支持され、
レバー操作時には第１歯板における押上げ部の端部を摺動部と当接させるとともに、押上げ部をバネ部材の付勢力に抗して回動させ、隣接する弾部と押上げ部の端部を当接させ、
レバー操作後には第２歯板における押上げ部の端部を摺動部と当接させるとともに、押上げ部をバネ部材の付勢力に抗して回動させ、隣接する弾部と押上げ部の端部を当接させることで押上げ機構を可動させ、
筒部上端部より突出した当接部材がケース上端と当接することで、当接部材のピンが長孔を可動するとともに、支持板の一端部を可動させ、且つ筒部下端部より当接部材を突出させて、押上げ部をバネ部材の付勢力に抗して回動させ段部との当接を解除する請求項１又は請求項２に記載の即席固形食品取出装置。
【請求項５】
レバー操作可動範囲を即席固形食品の厚み分とした請求項１乃至請求項４のいずれか１項に記載の即席固形食品取出装置。
【請求項６】
請求項１乃至請求項５のいずれか１項に記載の即席固形食品取出装置を設置した即席固形食品取出装置付ポット。
【発明の詳細な説明】
【技術分野】
【０００１】
本発明は、味噌汁、スープ等の即席固形食品を個別に取り出すことができる即席固形食品取出装置及び当該装置を取り付けたポットに関するものである。
【背景技術】
【０００２】
従来より、お茶を飲む際の手間を少しでも軽減する為に、急須の機能を備えたポットであって、ポット内の液体を送り出すポンプ本体と、これから送られる液体を上部開口から受けられるようポット本体の外側に取り付けたタンクと、当該タンクの下部出口を開閉する弁と、中に入れた茶をタンクの中の液体に浸す茶漉しを備えたポットが公知である（例えば、特許文献１参照）。
【０００３】
また、手軽にしかも素早く粉末原料からなる緑茶等のお茶等を入れることができる定量抽出装置であって、ポットに装着可能な蓋付の密閉ハウジングの底部に設けられた螺旋スクリュータイプの回転粉末送付手段と、螺旋スクリュータイプの回転粉末送付手段を回転させる動力手段と、その制御手段を備えた粉末原料定量抽出装置が公知である（例えば、特許文献２参照）。
【先行技術文献】
【特許文献】
【０００４】
【特許文献１】公開実用新案公報昭６２−６４４２８号
【特許文献２】登録実用新案公報  第３０３０９４７号
【０００５】
ところで、現在では即席食品に関するものであって、食品等を凍結したままの状態で含まれている水分だけを取り除き、食感、香り、栄養素をそのまま残して、乾燥食品等を得るフリーズドライ製法が広く知られ、野菜、果物、味噌汁、スープ等の多種に亘り用いられている。
【０００６】
当該フリーズドライ製法による即席固形食品は通常、個別に袋詰めされており、食事の都度に袋を開封することは非常に煩雑なものとなる。この手間を解消する為に、当該即席固形食品を上記特許文献１に採用することも考えられる。すなわち、上記タンク内に当該即席固形食品を配置しておけばよい。しかし、具材を有しないスープ等にあっては問題ないが、ほとんどの即席固形食品は具材を有しており、当該具材が茶漉し若しくは弁に引っ掛かり出てこない虞がある。更には、個別にタンクに入れることが必要となり、食前における袋の開封による煩雑さが解消されるものではない。
【０００７】
一方、上記特許文献２に採用した際には、当該装置により定量抽出されることから個別に収納させる必要はないものの、螺旋スクリューにより即席固形食品が粉末となって抽出されてしまう。よって、同様にして具材を有しないスープ等にあっては問題ないが、具材の多い味噌汁等にあっては具材までが粉末化されてしまい、具材の食感を味わうことができないものとなる。また、自動で定量する為、当該装置のコストが増大することが懸念される。
【発明の概要】
【発明が解決しようとする課題】
【０００８】
そこで、本発明はこのような問題点を解決するものであって、味噌汁、スープ等の即席固形食品をそのままの形状で個別に取り出すことができる即席固形食品取出装置及び当該装置を取り付けたポットを提供することを課題とする。
【課題を解決するための手段】
【０００９】
前記問題点を解決するために、本発明の請求項１に記載の発明の即席固形食品取出装置は、蓋体を備えるケースは即席固形食品を収納する第１収納空間と、第１軸及び第２軸が立設する第２収納空間とを備え、即席固形食品を押動する押出板を一端部として第１収納空間に配置させ、他端部を第２収納空間に配置し回動自在に設置する可動板は、連結部材を介して第１軸に連結され、第１軸に連結されるレバーを操作することで、第１軸及び第１軸と当接する第２軸を可動させるとともに、第２軸に設置される軸操作機構を作動させ、連結部材に連結される可動板を回動させ、押出板を蓋体側へ可動させて即席固形食品を押動して排出し、レバーを戻すことで第１軸及び可動板を所定位置に戻し、軸操作機構が作用することで、第２軸は第１軸より遅動して所定位置に戻るとともに、第２軸に設けられる第１歯板と第２収納空間に設けられる第２歯板との間隙に配置される押上げ機構が第１収納空間に位置する載置台に即席固形食品を積載した状態で可動することを特徴とするものである。
【００１０】
また、本発明の請求項２に記載の発明の即席固形食品取出装置は、請求項１に記載の即席固形食品取出装置において、軸操作機構は、ケース内に固着される収納部と、収納部を挿通し外側へ突出した先端部を備え収納部内に配置される係合体と、第２軸に連結される取付板と、一端がケース内に固着され他端が取付板に固着される伸縮体と、収納部及び係合体を挿通して第２軸と同軸方向に取付板に固着される係合ピンとを備え、レバー操作前には可動板と係合体の先端部が当接して、先端部と収納部との間隙に設置されるバネ部材の付勢力に抗した状態で係合体を押圧し、レバー操作時には可動体と係合体の当接が解除され、付勢力にて係合体が収納部内を可動し、伸縮体を伸長しながら第２軸とともに可動する係合ピンに設けられる係合部と係合体に設けられる係合部が係合し、レバー操作後には第１軸及び可動板が所定位置に戻り、可動板と係合体の先端部が当接することで、バネ部材の付勢力に抗して係合体を押圧して係合ピン及び係合体における係合を解除し、伸縮体により第１軸より遅動して第２軸を可動させるものである。
【００１１】
また、本発明の請求項３に記載の発明の即席固形食品取出装置は、請求項１又は請求項２に記載の即席固形食品取出装置において、押上げ機構は、ベース板の一端方向に突出されるピンと、他端方向に設置される載置台とを備えるボディ部と、載置台側に略ハ字状に配置され、一端部は回動自在に設置し、他端部はベース板を挿通して突出するピンを備える２つの押上げ部と、一端部がベース板から突出されるピンに回動自在に設置され、他端部に設けられる開口部に押上げ部のピンを挿通させ略Ｖ字状に配置される２枚の支持板と、開口部に挿通されたピンを付勢力にて外側方向へ支持するバネ部材とを備え、第１歯板及び第２歯板は波形状となるよう摺動部及び段部を交互に備えてなり、押上げ機構は押上げ部の端部が第１歯板及び第２歯板における段部に当接することで支持され、レバー操作時には第１歯板における押上げ部の端部を摺動部と当接させるとともに、押上げ部をバネ部材の付勢力に抗して回動させ、隣接する弾部と押上げ部の端部を当接させ、レバー操作後には第２歯板における押上げ部の端部を摺動部と当接させるとともに、押上げ部をバネ部材の付勢力に抗して回動させ、隣接する弾部と押上げ部の端部を当接させることで押上げ機構を可動させるものである。
【００１２】
また、本発明の請求項４に記載の発明の即席固形食品取出装置は、請求項１又は請求項２に記載の即席固形食品取出装置において、押上げ機構は、ベース板の一端方向に突出されるピンと、他端方向に設置される載置台とを備えるボディ部と、載置台側に略ハ字状に配置され、一端部は回動自在に設置し、他端部はベース板を挿通して突出するピンを備える２つの押上げ部と、長孔及び切欠部を有してベース板に形成される筒部に設置され、長孔より突出するピン及び切欠部より突出するピンを備える当接部材と、筒部上端部より当接部材を突出させるようにして、切欠部より突出するピンに設置される押え部材と、一端部が当接部材から突出されるピンに回動自在に設置され、他端部に設けられる開口部に押上げ部のピンを挿通させ略Ｖ字状に配置される２枚の支持板と、開口部に挿通されたピンを付勢力にて外側方向へ支持するバネ部材とを備え、第１歯板及び第２歯板は波形状となるよう摺動部及び段部を交互に備えてなり、押上げ機構は押上げ部の端部が第１歯板及び第２歯板における段部に当接することで支持され、レバー操作時には第１歯板における押上げ部の端部を摺動部と当接させるとともに、押上げ部をバネ部材の付勢力に抗して回動させ、隣接する弾部と押上げ部の端部を当接させ、レバー操作後には第２歯板における押上げ部の端部を摺動部と当接させるとともに、押上げ部をバネ部材の付勢力に抗して回動させ、隣接する弾部と押上げ部の端部を当接させることで押上げ機構を可動させ、筒部上端部より突出した当接部材がケース上端と当接することで、当接部材のピンが長孔を可動するとともに、支持板の一端部を可動させ、且つ筒部下端部より当接部材を突出させて、押上げ部をバネ部材の付勢力に抗して回動させ段部との当接を解除するものである。
【００１３】
また、本発明の請求項５に記載の発明の即席固形食品取出装置は、請求項１乃至請求項４のいずれか１項に記載の即席固形食品取出装置において、レバー操作可動範囲を即席固形食品の厚み分としたものである。
【００１４】
また、本発明の請求項６に記載の発明は、請求項１乃至請求項５のいずれか１項に記載の即席固形食品取出装置を設置した即席固形食品取出装置付ポットである。
【発明の効果】
【００１５】
本発明の請求項１乃至請求項３に記載の即席固形食品取出装置では、レバーを１回操作するだけで、蓋体より個別に即席固形食品を排出することができるとともに、押上げ機構により次に排出する即席固形食品を所定位置に設置することができる。また、軸操作機構にて第２軸を第１軸より遅動させて押上げ機構を作動させるので、押上げ機構の作動中に押出板と緩衝することなく、積載させた即席固形食品を上方へ可動させることができる。更に、予め開封した即席固形食品を収納しておくことから、食前における開封の煩雑さを解消することができる。
【００１６】
また、本発明の請求項４に記載の即席固形食品取出装置では、押上げ機構は筒部上端部より突出した当接部材がケース上端と当接することで、当接部材のピンが長孔を可動するとともに、支持板の一端部を可動させ、且つ筒部下端部より当接部材を突出させて、押上げ部をバネ部材の付勢力に抗して回動させ段部との当接を解除する機構を備えるので、全ての即席固形食品を排出し、ケース内の上方に位置する押上げ機構をレバーの操作のみで下方位置まで可動させることができる。
【００１７】
また、本発明の請求項５に記載の即席固形食品取出装置では、レバー操作可動範囲を即席固形食品の厚み分としたので、即席固形食品を一つずつ確実に取り出すことができる。
【００１８】
また、本発明の請求項６に記載の即席固形食品取出装置付ポットでは、レバーを操作して即席固形食品取出装置より即席固形食品を取出し、ポットの操作ボタンを操作してお湯を出すことにより、即座に食することができる。
【図面の簡単な説明】
【００１９】
【図１】本発明の実施例における即席固形食品取出装置内の一部断面省略正面図である。
【図２】本発明の実施例における即席固形食品取出装置の軸操作機構の一部断面拡大正面図である。
【図３】本発明の実施例における即席固形食品取出装置内の一部断面省略右側面図である。
【図４】本発明の実施例における即席固形食品取出装置内の一部省略拡大平面図である。
【図５】本発明の実施例における即席固形食品取出装置の押上げ機構の拡大正面図である。
【図６】本発明の実施例における即席固形食品取出装置の押上げ機構の図５の右側面図である。
【図７】本発明の実施例における即席固形食品取出装置の押上げ機構の図５の平面図である。
【図８】本発明の実施例における即席固形食品取出装置のレバーを下げる途中の側面説明図である。
【図９】本発明の実施例における即席固形食品取出装置のレバーを下げた際の側面説明図である。
【図１０】本発明の実施例における即席固形食品取出装置のレバーを下げた際の正面説明図である。
【図１１】本発明の実施例における即席固形食品取出装置のレバーを下げた際における軸操作機構の一部断面拡大正面説明図である。
【図１２】本発明の実施例における即席固形食品取出装置のレバーを上げる途中の一部断面側面説明図である。
【図１３】本発明の実施例における即席固形食品取出装置のレバーを上げた際の一部断面側面説明図である。
【図１４】本発明の実施例における即席固形食品取出装置の押上げ機構が下方へ落下する際の拡大正面説明図である。
【図１５】本発明の実施例における即席固形食品取出装置をポットに内蔵させた際の平面図である。
【図１６】本発明の実施例における即席固形食品取出装置をポットに内蔵させた図１５の一部断面右側面図である。
【図１７】本発明の実施例における即席固形食品取出装置をポットの外側に取り付けた際の正面図である。
【発明を実施するための形態】
【００２０】
以下、本発明の実施の形態における即席固形食品取出装置を図面に基づいて説明する。
【実施例】
【００２１】
本発明に係る即席固形食品取出装置１は、図１、図３及び図４に示すように、主に、蓋体３を有するケース２、第１軸４及び第２軸５を操作するレバー１５、即席固形食品Ｆを排出する押出板７、即席固形食品Ｆの個別取出しを可能にする押上げ機構２４とから構成されている。ここで、即席固形食品Ｆとは、味噌汁、スープ、おかゆ等をフリーズドライ製法により加工し、お湯を注ぐだけで即座に食することができる食品を意味するものである。
【００２２】
ケース２は、図１、図３及び図４に示すように、略直方体から構成されており、一端部における上方には即席固形食品Ｆの排出口とされる蓋体３が蝶番を介して設けられている。また、図４に示すように、ケース２の略中央に隔壁２ａによって略長方形状に区画される箇所は即席固形食品Ｆを収納する第１収納空間２ｂとされ、当該第１収納空間２ｂの周囲であって、第１軸４、第２軸５、押上げ機構２４等が収納される略Ｌ字状の箇所は第２収納空間２ｃとされる。
【００２３】
また、いずれか一方の側面部には即席固形食品Ｆを収納する際の扉部２ｅとされる。蓋体３及び扉部２ｅの外形周囲には湿気を防止する為にゴムパッキン等を設けることが望ましい。更に、図１及び図３に示すように、隔壁２ａの下方には後述する第１軸４を挿通する貫通孔を有した当接板２ｄが設置されている。
【００２４】
図１、図３及び図４に示すように、第２収納空間２ｃに立設される第１軸４は、上方部にレバー軸１５ａを介してケース２の外側に設けられるレバー１５が連結されている。また、可動板６は、即席固形食品Ｆを押動する押出板７を一端部として第１収納空間２ｂの上方に配置させ、他端部を第２収納空間２ｃの下方に配置させて、隔壁２ａに回動軸９にて回動自在に設置される。当該可動板６は、略Ｌ字状に形成された連結部材８における一端部で連結軸１０にて回動自在に連結される。また、当該連結部材８における他端部は、連結軸１１にて同様に回動自在に第１軸４における連結片４ａに連結される。また、連結部材８における略中央部は支軸１２にて隔壁２ａに固着される。これにより、図１及び図１０に示すように、第１軸４が下方へ可動することにより、連結部材８を介して可動板６は回動軸９を中心として回動し得る。
【００２５】
回動軸９にはバネ部材１３が設置され、一端部は可動板６に固着され、他端部は隔壁２ａに固着される。これにより、当該バネ部材１３の付勢力により可動板６は第２収納空間２ｃ側へ位置してなる。
【００２６】
また、第２軸５は第１軸４の外周に設けられ、上方の一部に切欠部が形成されており、当該切欠部の下端側は連結片４ａと当接し得る上端当接部５ａとされる。更に、第２軸５の下端は下端当接部５ｂとされ、第２軸５は上端当接部５ａが連結片４ａと当接した状態で、即席固形食品Ｆの厚み分が第１軸４より短く形成される。また、第２軸５の上方であって、第１軸４の周囲にはカバー１６が設けられており、第１軸４の上端部を収納する。
【００２７】
図２に示すように、ケース２における隔壁２ａの下方には軸操作機構１４が設置される。軸操作機構１４は、レバー１５により第１軸４が所定位置に戻された後、第２軸５を第１軸４より遅動して所定位置に戻らせる為に設けられる。
【００２８】
ケース２内の隔壁２ａ若しくはケース２に固着される収納部２０は、例えば直方体の外形からなる。収納部２０の内部には、収納部２０を挿通し外側へ突出する先端部２１ａを備えた係合体２１が配置される。当該先端部２１ａには長さ方向と直交するように突起部２１ｂが設けられており、突起部２１ｂと収納部２０の間隙にはバネ部材２１ｃが設けられている。また、レバー１５操作前において、先端部２１ａは可動板６と当接し、収納部２０内にてバネ部材２１ｃの付勢力に抗した状態で係合体２１を押圧する。
【００２９】
第２軸５に連結される取付板１７の上端部には、一端がケース２内若しくは隔壁２ａに固着され、他端が取付板１７に固着される伸縮体１８が設置されている。当該伸縮体１８には、バネ、ゴム紐等が採用される。また、取付板１７の下端部には、収納部２０及び係合体２１を鉛直方向に挿通し、第２軸５と同軸方向に固着される係合ピン１９が設けられている。更に、係合ピン１９には周上に係合部１９ａが設けられており、係合体２１の内部の空間には係合部２１ｄが設けられている。これらの係合部は、第１軸４の可動範囲に相当する位置に設けられている。
【００３０】
軸操作機構１４は、図１０及び図１１に示すように、レバー１５の操作時には第１軸４が下方へ可動することにより、連結部材８を介して可動体６が回動する為、係合体２１における先端部２１ａとの当接が解除され、バネ部材２１ｃの付勢力にて係合体２１が収納部２０内を可動する。また、第１軸４が下方に可動することにより第２軸５も同様にして可動することから、伸縮体１８を伸長しながら取付板１７及び係合ピン１９も下方へ可動する。第１軸４が可動範囲だけ下方へ操作されると、係合ピン１９に設けられる係合部１９ａと係合体２１に設けられる係合部２１ｄが係合する。これにより、第２軸５は軸操作機構１４によって固定された状態となる。
【００３１】
また、レバー１５操作後には、図１及び図２に示すように、バネ部材１３の付勢力により、可動板６が回動して所定位置に戻るとともに、第１軸４は上方へと可動して所定位置へと戻される。このとき、第２軸５は軸操作機構１４により固定された状態であるが、可動板６が所定位置に戻ることで、再度可動板６と係合体２１における先端部２１ａが当接し、バネ部材２１ｃの付勢力に抗して係合体２１を収納部２０内にて押圧することとなる。これにより、係合ピン１９及び係合体２１における係合が解除されるので、伸縮体１８により取付板１７が上方へ可動するとともに、第２軸５も上方へ可動する。このようにして、第２軸５を第１軸４より遅動して可動させることで、可動板６の一端部である即席固形食品Ｆを排出させた押出板７を所定位置に戻した後、後述する押上げ機構２４が作動するので、押上げ機構２４の作動中に押出板７が緩衝することがない。
【００３２】
図３及び図４に示すように、蓋体３と対向する一端部の第２収納空間２ｃには押上げ機構２４が設置される。当該押上げ機構２４は、第２軸５と連動し積載される即席固形食品Ｆを上方へ可動させる為に設けられる。
【００３３】
図５乃至図７に示すように、略長方形状に形成されるベース板２５ｅの一端方向には２本のピン２５ａが突出され、当該２本のピン２５ａの間隙には鉛直方向に当接部材２９を収納する第２筒部２５ｆが設けられている。一方、ベース板２５ｅの他端方向には、規制軸部２３を収納する第１筒部２５ｄが設けられ、当該第１筒部２５ｄには即席固形食品Ｆを積載する載置台３１が設けられている。これらのベース板２５ｅ、２本のピン２５ａ、第１筒部２５ｄ、第２筒部２５ｆ及び載置台３１は一体に形成されボディ部２５を構成する。
【００３４】
当接部材２９は、例えば四角柱状からなり、当該上端部が第２筒部２５ｆの上端部より突出してなり、当該下端部は第２筒部２５ｆの下端部と一致するよう形成される。また、略中央部には、第２筒部２ｆに形成された長孔２５ｂに挿通されるピン２９ａが形成されている。更に、下方位置には、第２筒部２ｆに形成された切欠部２５ｃより突出する突起部２９ｂが形成されている。当該突起部２９ｂには、ベース板２５ｅの下方位置に設置される押え部材３０が取り付けられており、当該押え部材３０により当接部材２９を上方へ支持している。
【００３５】
押上げ部２６は、略長方形状の板材からなり、一端は回動自在にベース板２５ｅに設置され、他端にはベース板２５ｅに形成される長孔を挿通するピン２６ａを有してなる。また、略長方形状の板材からなる支持板２８は、一端に長孔の開口部２８ａを有し、当該開口部２８ａに押上げ部２６におけるピン２６ａを挿通してなり、他端は当接部材２９におけるピン２９ａに挿通され回動自在とされる。更に、ベース板２５ｅにおけるピン２５ａに取り付けられるバネ部材２７は、当該一端部を開口部２８ａに挿通されるピン２６ａに取り付け、その付勢力によりピン２６ａをベース板２５ｅの外側方向へ支持している。図５に示すように、当接部材２９を介して対称に、押上げ部２６は略ハ字状に配置され、支持板２８は略Ｖ字状に配置されており、当接部材２９の上下動により連動する。
【００３６】
このようにして構成される押上げ機構２４は、図３に示すように、第２軸５に形成される第１歯板５ｃと、第１歯板５ｃに対向する扉部２ｅ側における隔壁２ａに形成される第２歯板２２との間隙に配置される。第１歯板５ｃと第２歯板２２は対称に形成される為、第１歯板５ｃとの関係についてのみ説明する。
【００３７】
押上げ機構２４は、載置台３１を第１収納空間２ｂに配置させた状態で、第２収納空間２ｃに立設される規制軸部２３を第１筒部２５ｄに挿通させて配置される。また、波形状となるよう段部５ｄ及び摺動部５ｅが交互に形成されてなる第１歯板５ｃの段部５ｄに押上げ部２６における下端部を当接させることで支持してなる。段部５ｄと、摺動部５ｅを介して上方に位置する段部５ｄとの間隔は、レバー１５の操作可動範囲と同等であり、即席固形食品Ｆの厚み分であることが望ましい。
【００３８】
このようにして構成される即席固形食品取出装置１は、図１、図２及び図８乃至図１３に示すようにして作動することで、即席固形食品Ｆを個別に取り出す。まず、扉部２ｅより所定の個数の即席固形食品Ｆを載置台３１に積載する。
【００３９】
図８に示すように、即席固形食品Ｆの取出しには、レバー１５を下方へ可動させる。レバー１５の操作直後においては、レバー１５に連結される第１軸４とともに、連結片４ａと当接される第１歯板５ｃを有する第２軸５が下方へ可動する。このとき、第１歯板５ｃ側における押上げ機構２４の押上げ部２６の下端部は段部５ｄとの当接が解除され、摺動部５ｅと当接する。当該摺動部５ｅは、押上げ部２６の下端部をバネ部材２７の付勢力に抗して、ベース板２５ｅの内側方向へ回動させるように形成されている。これにより、押上げ部２６は回動され、押上げ部２６におけるピン２６ａは支持板２８における開口部２８ａ内を移動する。
【００４０】
図９に示すように、第１軸４の可動範囲であるレバー１５の操作最下端となると、第２軸における下端当接部５ｂが当接板２ｄと当接する。当該状態においては、摺動部５ｅと隣接する上方側の段部５ｄが押上げ部２６の下端部と当接し、再度第１歯板５ｃにおける段部５ｄ及び第２歯板における段部２２ａにて押上げ機構２４を支持する。
【００４１】
このように、レバー１５の操作最下端となると、図１０及び図１１に示すように、第１軸４が下方へ可動されるとともに、連結部材８を介して可動板６が回動軸９を中心に回動される。これにより、第１収納空間２ｂに位置する押出板７にて最上位置に積載される即席固形食品Ｆを蓋体３から排出することができる。
【００４２】
このとき、同図に示すように、可動板６と係合体２１における先端部２１ａとの当接が解除され、バネ部材２１ｃの付勢力にて係合体２１が収納部２０内を可動する。また、第１軸４が下方に可動することにより第２軸５も同様にして可動することから、伸縮体１８を伸長しながら取付板１７及び係合ピン１９も下方へ可動する。レバー１５の操作最下端では、係合ピン１９に設けられる係合部１９ａと係合体２１に設けられる係合部２１ｄが係合し、第２軸５は軸操作機構１４によって固定された状態となる。
【００４３】
即席固形食品Ｆを蓋体３から排出した後は、回動軸９に設置されるバネ部材１３の付勢力により、可動板６が回動して所定位置に戻るとともに、連結部材８を介して第１軸４及び連結されるレバー１５は上方へ可動する。
【００４４】
このとき、第２軸５は軸操作機構１４により固定された状態であるが、可動板６が所定位置に戻ることで、再度可動板６と係合体２１における先端部２１ａが当接し、バネ部材２１ｃの付勢力に抗して係合体２１を収納部２０内にて押圧する。これにより、係合ピン１９及び係合体２１における係合が解除され、伸縮体１８により取付板１７が上方へ可動するとともに、第２軸５も上方へ可動する。このようにして、第２軸５は第１軸４より遅動して可動する。
【００４５】
第１軸４に遅動して第２軸５が上方へ可動されると、第２軸５とともに押上げ機構２４も上方へ可動する。詳細には、図１２に示すように、第１歯板５ｃにおける段部５ｄに押上げ部２６の下端部を当接させた状態で上方へ可動する際、第２歯板２２側における押上げ部２６の下端部の段部２２ａとの当接が解除され、摺動部２２ｂと当接する。当該摺動部２２ｂは摺動部５ｅと同様にして、第２歯板２２側の押上げ部２６の下端部をバネ部材２７の付勢力に抗して、ベース板２５ｅの内側方向へ回動させるように形成されている。これにより、押上げ部２６は回動され、押上げ部２６におけるピン２６ａは支持板２８における開口部２８ａ内を移動する。
【００４６】
図１３に示すように、レバー１５の操作後における最上端では、摺動部２２ｂと隣接する上方側の段部２２ａが第２歯板２２側の押上げ部２６の下端部と当接し、規制軸部２３に沿って即席固形食品Ｆの厚み分を上方へ可動させた状態で押上げ機構２４を支持する。
【００４７】
これにより、可動板６の一端部である即席固形食品Ｆを排出させた押出板７を所定位置に戻した後、軸操作機構１４にて第２軸５を第１軸４より遅動させて押上げ機構２４を作動させ、押上げ機構２４の作動中に押出板７と緩衝させることなく、積載させた即席固形食品Ｆを上方へ可動させることができる。
【００４８】
積載された即席固形食品Ｆが全て排出されると、押上げ機構２４はケース２内の上方に位置することになる。当該状態から更にレバー１５を操作させると、押上げ機構２４における第１筒部２５ｄより突出した当接部材２９の上端がケース２の上端と当接する。詳細には、第１歯板５ｃの上端部に設けられた補助歯板５ｆが段部５ｄと同様の作用を奏するので、上述のようにして押上げ部２６における下端部が補助歯板５ｆと当接することで、押上げ機構２４を上方へ可動させることができる。これにより、当接部材２９は押え部材３０により上方へ支持されているだけであるので、図１４に示すように、対向する下端側に突出することになるとともに、ピン２９ａも長孔２５ｂ内を下方へ移動する。当該状態においては、押え部材３０は当接部材２９を下方へ支持することとなる。更に、ピン２９ａには支持板２８が回動自在に取り付けられていることから、支持板２８の一端部を下方へ可動させながら、他端部の開口部２８ａに挿通する押上げ部２６のピン２６ａをバネ部材２７の付勢力に抗するよう、ベース板２５ｅの内側方向へ回動させる。
これにより、押上げ部２６における下端部は、段部５ｄ、２２ａとの当接が解除される。当該下端部は摺動部５ｅ、２２ｂと当接することもないので、押上げ機構２４は規制軸部２３に沿って、ケース２における下端部まで可動することができる。
【００４９】
押上げ機構２４はケース２の下端部まで可動すると、下端側へ突出した当接部材２９が当接し、落下の勢いにより当接部材２９は再度上方へ突出し、押え部材３０にて上方へ支持した状態となる。これにより、図２に示すように、押上げ部２６はバネ部材２７の付勢力によって、ベース板２５ｅの外側方向へ回動するので、押上げ機構２４における押上げ部２６の下端部は、第１歯板５ｃの段部５ｄ及び第２歯板２２の段部２２ａと当接し、押上げ機構２４を支持する。当該機構において、押え部材３０の支持力がバネ部材２７の付勢力より大きいことが必須条件となる。
【００５０】
このようにして作動する即席固形食品取出装置１は、図１５及び図１６に示すようにして、レバー１５を上方に位置させて、取手部３２ａを有するポット３２に内蔵することもできる。
【００５１】
内蔵させる際には、ポット３２の側部に扉部３２ｃを設け、湯口３２ｄをポット３２の先端部まで延設させる必要がある。これにより、レバー１５を操作して即席固形食品取出装置１より即席固形食品Ｆを取出し、ポット３２の操作ボタン３２ｂを操作してお湯を出すことにより、即座に食することができる。
【００５２】
また、即席固形食品取出装置１は、図１７に示すようにして、ポット３２の外側に設置することもできる。この場合には、ゴムバンド等の取付部材３３で固着すればよく、即席固形食品取出装置１を着脱可能とすることができる。更に、ポット３２には、操作ボタン３２ｂが手動式であるポット、電動式であるポットのいずれを採用することもできる。
【００５３】
また、当接部材２９を設けず自動落下機構を備えない押上げ機構２４とすることもできる。その際には、当接部材２９のピン２９ａと代替するようベース板２５ｅから別途ピンを突出させればよく、蓋体３と対向する端部に扉部を設け（図示しない）手動にて押上げ機構を下端まで可動させればよい。
【００５４】
以上、説明した本発明に係る即席固形食品取出装置１によれば、レバー１５を１回操作するだけで、蓋体３より個別に即席固形食品Ｆを排出することができるとともに、次に排出する即席固形食品Ｆを所定位置に設置することができる。また、予め開封した即席固形食品Ｆを収納しておくことから、食前における開封の煩雑さを解消することができる。
【００５５】
更に、押上げ機構２４は自動落下機構を備えるので、全ての即席固形食品Ｆを排出しケース２内の上方に位置する押上げ機構２４をレバー１５の操作のみで下方位置まで可動させることができる。
【符号の説明】
【００５６】
１      即席固形食品取出装置
２      ケース
２ａ    隔壁
２ｂ    第１収納空間
２ｃ    第２収納空間
２ｄ    当接板
２ｅ    扉部
３      蓋体
４      第１軸部
４ａ    連結片
５      第２軸部
５ａ    上端当接部
５ｂ    下端当接部
５ｃ    第１歯板
５ｄ    段部
５ｅ    摺動部
５ｆ    補助歯板
６      可動板
７      押出板
８      連結部材
９      回動軸
１０、１１  連結軸
１２    支軸
１３    バネ部材
１４    軸操作機構
１５    レバー
１５ａ  レバー軸
１６    カバー
１７    取付板
１８    伸縮体
１９    係合ピン
１９ａ  係合部
２０    収納部
２１    係合体
２１ａ  先端部
２１ｂ  突起部
２１ｃ  バネ部材
２１ｄ  係合部
２２    第２歯板
２２ａ  段部
２２ｂ  摺動部
２３    規制軸部
２４    押上げ機構
２５    ボディ部
２５ａ  ピン
２５ｂ  長孔
２５ｃ  切欠部
２５ｄ  第１筒部
２５ｅ  ベース板
２５ｆ  第２筒部
２６    押上げ部
２６ａ  ピン
２７    バネ部材
２８    支持板
２８ａ  開口部
２９    当接部材
２９ａ  ピン
２９ｂ  突起部
３０    押え部材
３１    載置台
３２    ポット
３２ａ  取手部
３２ｂ  操作ボタン
３２ｃ  扉部
３２ｄ  湯口
３３    取付部材
Ｆ      即席固形食品
【図１】
2010246743.tif 000003
【図２】
2010246743.tif 000004
【図３】
2010246743.tif 000005
【図４】
2010246743.tif 000006
【図５】
2010246743.tif 000007
【図６】
2010246743.tif 000008
【図７】
2010246743.tif 000009
【図８】
2010246743.tif 000010
【図９】
2010246743.tif 000011
【図１０】
2010246743.tif 000012
【図１１】
2010246743.tif 000013
【図１２】
2010246743.tif 000014
【図１３】
2010246743.tif 000015
【図１４】
2010246743.tif 000016
【図１５】
2010246743.tif 000017
【図１６】
2010246743.tif 000018
【図１７】
2010246743.tif 000019